(57)【要約】【課題】結婚披露宴会場に設置するウェルカムボードなどとして使用可能な嵌め絵を提供する。【解決手段】ボード本体とピース片とからなる嵌め絵において、線対称の図形となるように形成したピース片を設け、このピース片の表面または裏面のいずれを露出するようにしてもボード本体の凹部に嵌め込み可能とした。【選択図】図２
2010022682.tif 000002
【特許請求の範囲】
【請求項１】
表面に複数の凹部が形成されたボード本体を設けるとともに、このボード本体の複数の凹部各々に隙間なく嵌め込み可能なピース片を凹部と同じ数だけ設けた嵌め絵であって、
前記ピース片のうちの１以上のピース片は、平面形状が線対称の図形となるように形成されている対称ピースであり、
前記対称ピースは、表面または裏面または両面に書き込み可能であるとともに、表面または裏面のいずれを露出するようにしてもボード本体の凹部に嵌め込み可能であることを特徴とする、嵌め絵。
【請求項２】
前記対称ピースは、表面または裏面または両面に書き込み可能な１の外ピースと、表面または裏面または両面に書き込み可能な１又は複数の内ピースと、を有し、
前記外ピースは、前記内ピースを嵌め込むための切欠が設けられるとともに、この切欠に内ピースを嵌め込んだ状態で前記ボード本体の凹部に嵌め込み可能に形成され、
前記１又は複数の内ピースのうちの１以上の内ピースは、平面形状が線対称の図形となるように形成されている内対称ピースであり、
前記内対称ピースは、前記外ピースを前記ボード本体の凹部に嵌め込んだときに、表面または裏面のいずれを露出するようにしても前記外ピースの切欠に嵌め込み可能であることを特徴とする、請求項１記載の嵌め絵。
【発明の詳細な説明】
【技術分野】
【０００１】
この発明は、嵌め絵に関し、特に、メッセージを記入可能なピース片を有する嵌め絵に関するものである。
【背景技術】
【０００２】
従来、嵌め絵としてはパズル遊技を行うことができる遊技盤が知られている。しかし、これらの遊技盤においては、パズル遊技を行うことが主な目的であり、嵌め絵自体を飾ることを主な目的としたものではなかった。こうした状況を鑑み、例えば、特許文献１には、遊技盤に装飾性を持たせ、パズル遊技後に遊技盤自体を飾ることを目的とした遊技板の発明が開示されている。しかし、こうした遊技盤であっても、嵌め絵自体を飾ることを主な目的としたものではなかった。また、嵌め絵にメッセージを記入して飾るということを意図したものでもなかった。
【特許文献１】特開２００６−１３６４５４号公報
【発明の開示】
【発明が解決しようとする課題】
【０００３】
そこで本発明は、嵌め絵自体を飾ることを主な目的とするとともに、メッセージを記入可能に形成し、従来にない独特の装飾性を発揮する嵌め絵を提供することを課題とする。詳しくは、嵌め絵を構成するピース片に、メッセージを記入したり、写真を貼り付けたりできるように形成し、更に、ピース片を裏返しにしても嵌め込み可能に形成することにより、種々の使用形態で使用可能な嵌め絵を提供することを課題とする。
【課題を解決するための手段】
【０００４】
各請求項にそれぞれ記載された発明は、上記した課題を解決するためになされたものである。以下、図面に示した発明の実施の形態を用いて、各請求項にそれぞれ記載された発明の特徴および作用を説明する。
なお、符号は、発明の実施の形態において用いた符号を示し、本発明の技術的範囲を限定するものではない。
（請求項１）
請求項１に記載の発明は、以下を特徴とする。
すなわち、請求項１に記載の嵌め絵は、表面に複数の凹部30が形成されたボード本体10を設けるとともに、このボード本体10の複数の凹部30各々に隙間なく嵌め込み可能なピース片20を凹部30と同じ数だけ設けた嵌め絵1であって、前記ピース片20のうちの１以上のピース片20は、平面形状が線対称の図形となるように形成されている対称ピース20であり、前記対称ピース20は、表面または裏面または両面に書き込み可能であるとともに、表面または裏面のいずれを露出するようにしてもボード本体10の凹部30に嵌め込み可能であることを特徴とする。
【０００５】
このように、本請求項に係る嵌め絵は、ボード本体に複数のピース片を嵌め込むことで嵌め絵を構成している。つまり、複数の凹部がボード本体の表面に形成されているとともに、この複数の凹部と同じ数の複数のピース片が設けられている。そして、１の凹部と１のピース片がそれぞれ対応するようになっており、ピース片を対応する凹部に嵌め込んだときに隙間なくぴったりと嵌め込まれるようになっている。なお、ボード本体に設けられたこれら複数の凹部の形状を同一とするか、異なった形状とするかは任意である。すなわち、すべて同じ形状としても良いし、すべて異なる形状としても良いし、同一形状の凹部が複数設けられるようにしても良い。ただし、これらの凹部に対応するようにピース片を設ける必要があるので、例えば、特定の形状の凹部が複数ある場合、この特定の形状の凹部に対応するピース片は、この特定の形状の凹部と同じ数だけ設けられることとなる。
【０００６】
また、「対称ピース」とは、嵌め絵を構成する複数のピース片のうちの１以上のピース片であり、平面形状が線対称の図形となるように形成されているものである。すなわち、ボード本体に嵌め込まれる複数のピース片のうち、そのすべてが対称ピースであっても良いし、一部のみが対称ピースであっても良い。言い換えると、ピース片の平面形状について、複数のピース片のすべてが線対称の図形となるように形成されていても良いし、複数のピース片のいくつかは線対称の図形となるように形成されているとともに、他のピース片は線対称ではない図形となるように形成されていても良い。そして、対称ピースの平面形状としては、例えば、星形、ハート形、長方形などとすることができる。また、線対称の形状であれば、ミッキーマウス（登録商標）などのキャラクターの形状を表すものとしても良い。このように、対称ピースは線対称の図形となるように形成されているため、対称軸に沿って裏返しにしても同一形状であり、表面および裏面のいずれを露出させてでもボード本体の凹部に嵌め込み可能となっている。
【０００７】
そして、対称ピースの表面または裏面または両面は、例えば紙や木などを材料として形成されていることにより、ペンなどで書き込みが可能となっている。つまり、対称ピースにはメッセージを記入できるようになっているため、例えば、対称ピースが嵌め込まれていない状態のボード本体を飾りつつ、メッセージを記入していくごとに対称ピースをボード本体に嵌め込んでいき、嵌め絵に逐次メッセージが追加されていく、というように使用することができるようになっている。なお、この対称ピースには、メッセージを書き込むだけではなく、シールプリントとして出力された写真を貼り付けることとしても良い。
ここで、前述したように、対称ピースは、表面および裏面のいずれを露出させてでもボード本体の凹部に嵌め込み可能となっている。そのため、例えば、対称ピースの表面にメッセージを書き込んだ場合、この表面が見えるようにボード本体に嵌め込んでも良いし、この表面が見えないように、すなわち、裏面が見えるようにボード本体に嵌め込んでもよい。また、表面をメッセージの書き込み面とするとともに、裏面を装飾用の面とすることとしても良い。すなわち、メッセージが書き込まれた対称ピースについては表面、すなわちメッセージが見えるように嵌め込み、メッセージが書き込まれていない対称ピースについては裏面、すなわち装飾面が見えるように嵌め込むような使用方法としても良い。このようにすれば、メッセージを記入する人数と対称ピースの数とが異なる場合であっても、メッセージが記入されずに余った対称ピースを裏返してボード本体に嵌め込むことにより、より装飾性の高い嵌め絵を構成することができる。具体的には、表面と裏面とで色や模様などを異ならせることにより、１の面をメッセージの書き込み面とし、他の面を装飾面とすることができる。更には、ボード本体とピース片とが一体性のある絵柄を形成することにより、装飾性の高い嵌め絵を構成することとしても良い。すなわち、ボード本体にすべてのピース片を表にして嵌め込んだときに、一体性のある絵柄が形成されるようにしても良い。この場合、対称ピースにメッセージを記入しない場合は表面が見えるように嵌め込み、対称ピースにメッセージを記入する場合は裏面にメッセージを記入して、この裏面が見えるように嵌め込む。すると、メッセージが記入されていない余った対称ピースがある場合でも、この余った対称ピースは表面が見えるように嵌め込まれているため一体性のある絵柄の一部として機能するので、全体の統一感を損なうことがない。その他にも、表面と裏面とで色等を異ならせることにより、１の面を男性用のメッセージの書き込み面とし、他の面を女性用のメッセージの書き込み面としても良い。また、対称ピースの表面と裏面とのいずれにもメッセージを記入することとしても良い。例えば、表面と裏面とで異なる意味のメッセージを記入することとしても良いし、表面には問題を記入するとともに裏面にはその問題の解答を記入することとしても良い。このようにすれば、状況に応じて表裏を入れ替えて対称ピースを嵌め込みなおすことにより、嵌め絵による様々な表現が可能となる。
【０００８】
なお、本発明に係る嵌め絵においては、同一形状の対称ピースを複数設けることが望ましい。言い換えると、ボード本体に同一形状の凹部を複数設けることが望ましい。同一形状の対称ピースを複数設ければ、１の対称ピースに対応した凹部が複数存在するため、メッセージを記入等した対称ピースをボード本体に嵌め込む際に、対称ピースに合致する凹部を探す手間を省略することができるためである。
また、対称ピースの平面形状は、左右対称であるとともに、対称軸が１つである線対称の形状であることが望ましい。言い換えると、対称ピースの対称軸は、上下方向であることが望ましい。この場合、対称ピースをボード本体に嵌め込んだ際に、表面を露出させるか裏面を露出させるかに関わらず、対称ピースの上下方向が固定されることになるためである。すなわち、例えば対称ピースにメッセージを記入する場合に、メッセージの記入者は上下左右の別を認識することができ、また、メッセージを記入した対称ピースを嵌め込む場合においても、正しい方向で嵌め込むことが容易となるためである。
【０００９】
なお、対称ピースの対称軸は、上下方向のみならず、左右方向であっても良い。この場合、対称ピースに、ボード本体に嵌め込んだ際の上下方向を示す目安を設けることが望ましい。こうすることにより、上記したような効果、すなわち、メッセージの記入者は上下左右の別を認識することができ、また、メッセージを記入した対称ピースを嵌め込む場合においても、正しい方向で嵌め込むことを容易とするような効果を得ることができる。
もちろん、対称ピースの対称軸は、上記した上下方向もしくは左右方向に限るものではなく、上下方向および左右方向以外の軸を用いることとしても良い。
（請求項２）
請求項２に記載の発明は、上記した請求項１に記載の発明の特徴点に加え、以下を特徴とする。
【００１０】
すなわち、請求項２に記載の嵌め絵は、前記対称ピース20は、表面または裏面または両面に書き込み可能な１の外ピース21と、表面または裏面または両面に書き込み可能な１又は複数の内ピース22と、を有し、前記外ピース21は、前記内ピース22を嵌め込むための切欠が設けられるとともに、この切欠に内ピース22を嵌め込んだ状態で前記ボード本体10の凹部30に嵌め込み可能に形成され、前記１又は複数の内ピース22のうちの１以上の内ピース22は、平面形状が線対称の図形となるように形成されている内対称ピース22であり、前記内対称ピース22は、前記外ピース21を前記ボード本体10の凹部30に嵌め込んだときに、表面または裏面のいずれを露出するようにしても前記外ピース21の切欠に嵌め込み可能であることを特徴とする。
【００１１】
このように、本請求項に係る嵌め絵の対称ピースは、１の外ピースと１又は複数の内ピースとからなり、外ピースには内ピースを嵌め込むための切欠が設けられている。つまり、１又は複数の内ピースの形状に対応した１又は複数の切欠が外ピースに設けられている。なお、これら複数の切欠の形状を同一とするか、異なった形状とするかは任意である。すなわち、すべて同じ形状としても良いし、すべて異なる形状としても良いし、同一形状の凹部が複数設けられるようにしても良い。ただし、これらの切欠に対応するように内ピースを設ける必要があるので、例えば、特定の形状の切欠が複数ある場合、この特定の形状の切欠に対応する内ピースは、この特定の形状の切欠と同じ数だけ設けられることとなる。
【００１２】
また、「内対称ピース」とは、１又は複数の内ピースのうちの１以上の内ピースであり、平面形状が線対称の図形となるように形成されているものである。すなわち、外ピースに嵌め込まれる板状部材である１又は複数の内ピースのうち、そのすべてが内対称ピースであっても良いし、一部のみが内対称ピースであっても良い。言い換えると、１又は複数の内ピースの平面形状について、内ピースのすべてが線対称の図形となるように形成されていても良いし、内ピースのいくつかは線対称の図形となるように形成されているとともに、他の内ピースは線対称ではない図形となるように形成されていても良い。そして、内対称ピースの平面形状の例としては、例えば、星形、ハート形、長方形などとすることができる。また、線対称の平面形状であれば、ミッキーマウス（登録商標）などのキャラクターの形状としても良い。このように、内対称ピースは平面形状が線対称の図形となるように形成されているため、対称軸に沿って裏返しにしても同一形状であり、外ピースをボード本体の凹部に嵌め込んだときに、表面および裏面のいずれを露出させてでも外ピースの切欠に嵌め込み可能となっている。
【００１３】
なお、本発明に係る嵌め絵においては、内対称ピースが複数ある場合、同一形状の内対称ピースを複数設けることが望ましい。言い換えると、内対称ピースを嵌め込むために外ピースに設けられる切欠が複数ある場合に、これらの切欠について、同一形状のものを複数設けることが望ましい。同一形状の内対称ピースを複数設ければ、１の内対称ピースに対応した切欠が複数存在するため、内対称ピースを外ピースに嵌め込む際に、内対称ピースに合致する切欠を探す手間を省略することができるためである。
また、内対称ピースの形状は、左右対称であるとともに、対称軸が１つである線対称の平面形状であることが望ましい。言い換えると、内対称ピースの対称軸は、上下方向であることが望ましい。この場合、内対称ピースを外ピースに嵌め込んだ際に、表面を露出させるか裏面を露出させるかに関わらず、内対称ピースの上下方向が固定されることになるためである。すなわち、例えば内対称ピースにメッセージを記入する場合に、メッセージの記入者は上下左右の別を認識することができ、また、メッセージを記入した内対称ピースを嵌め込む場合においても、正しい方向で嵌め込むことが容易となるためである。
【００１４】
なお、内対称ピースの対称軸は、上下方向のみならず、左右方向であっても良い。この場合、内対称ピースに、ボード本体に嵌め込んだ際の上下方向を示す目安を設けることが望ましい。こうすることにより、上記したような効果、すなわち、メッセージの記入者は上下左右の別を認識することができ、また、メッセージを記入した内対称ピースを嵌め込む場合においても、正しい方向で嵌め込むことを容易とするような効果を得ることができる。
もちろん、内対称ピースの対称軸は、上記した上下方向もしくは左右方向に限るものではなく、上下方向および左右方向以外の軸を用いることとしても良い。
【発明の効果】
【００１５】
（請求項１）
請求項１に記載の発明は上記の通りであり、ボード本体に嵌め込まれる対称ピースは、表面および裏面のいずれを露出させてでもボード本体の凹部に嵌め込み可能となっている。また、この対称ピースは表面または裏面または両面に書き込みが可能なように形成されている。そのため、従来の嵌め絵と異なり、裏返しにしてピース片を嵌め込んだり、ピース片に書き込みを行ったりすることができ、装飾性が高い嵌め絵を提供することができる。つまり、表裏面をいずれも使用できるため、ピース片の色彩や模様等に様々な工夫が可能であり、また、ピース片に書き込みができるため、絵の一部にメッセージを融和させることが可能となっている。
【００１６】
こうした嵌め絵は、例えば、結婚披露宴会場に設置するウェルカムボードなどとして使用するのに最適である。この場合、ボード本体を飾りつつ、出席者の各々がメッセージを記入したピース片を嵌め込んでいき、最終的に嵌め絵が完成するというように使用することができる。また、寄せ書き用の色紙として使用するような態様も考えられる。
（請求項２）
請求項２に記載の発明は上記の通りであり、ボード本体に嵌め込まれる対称ピースが外ピースと外ピースに嵌め込まれる内ピースとを有しており、ピースの中にピースを嵌め込み可能ないわゆる入れ子構造となっている。また、内ピースのうちのいくつかは、外ピースをボード本体の凹部に嵌め込んだときに、表面および裏面のいずれを露出させてでも外ピースに嵌め込み可能となっている。このように、本請求項に記載の発明によれば、外ピースと内ピースの表裏の組み合わせに多様性を持たせることが可能であり、多種多様な美的表現、あるいは注意を引く特徴的な表現が可能な嵌め絵を提供することができる。
【発明を実施するための最良の形態】
【００１７】
図１〜８は、本発明の実施の形態の一例を示すものであり、図１は第一の実施の形態に係る嵌め絵の外観図、図２は第一の実施の形態に係る嵌め絵の分解図、図３は第一の実施の形態に係る対称ピースの表面および裏面を示す拡大図、図４は第一の実施の形態に係る嵌め絵の使用例を示す図、図５は第一の実施の形態の変形例に係る嵌め絵の外観図、図６は第一の実施の形態の変形例に係る嵌め絵の使用例を示す図、図７は第二の実施の形態に係る嵌め絵の外観図、図８は第二の実施の形態に係る嵌め絵の分解図を各々示すものである。
以下、本発明の好適な実施の形態を、結婚披露宴会場に設置するウェルカムボードを例に、第一及び第二の実施の形態に分けて、図面に基づき説明する。
【００１８】
（第一の実施の形態）
まず、本発明の第一の実施の形態について、図１〜４を参照しながら説明する。
本実施の形態に係る嵌め絵1は、図１に示すように、完成した状態で矩形の板状となっており、嵌め絵1自体を飾ることが可能なように形成されている。すなわち、この状態で例えば額縁などに格納して飾ることが可能である。
次に、図２を用いて、嵌め絵1の構成を説明する。嵌め絵1は、おおまかにボード本体10とピース片20とから構成されている。
ボード本体10は、底シート11と上シート12とを有し、この底シート11と上シート12とが貼り合わされることにより矩形のボード本体10を形成している。そして、ボード本体10には複数の凹部30が設けられており、本実施の形態においては、これらの凹部30として、星形の形状のものが複数個、ハート形の形状のものが複数個、矩形のものが１個、設けられている。
【００１９】
ピース片20は、これらの凹部30に対応するように凹部30と同数設けられている。すなわち、星形の形状のピース片20が星形の形状の凹部30と同数、ハート形の形状のピース片20がハート形の形状の凹部30と同数、矩形のピース片20が１個、設けられている。そして、これらのピース片20のそれぞれは、対応する凹部30に嵌め込むことが可能となっている。そして、ピース片20は、自重を支えるのに十分な程度に隙間なく凹部30に嵌め込まれるため、容易に剥がれ落ちることがないようになっている。
ここで、凹部30の形状、つまり星形の形状およびハート形の形状および矩形は、すべて線対称の図形である。そして、ピース片20は凹部30に対応するように設けられているため、言い換えると、本実施の形態においてはすべてのピース片20が対称ピース20となるように形成されている。このことは、すべてのピース片20、つまり対称ピース20は、表面または裏面のいずれを露出するようにしてもボード本体10の凹部30に嵌め込み可能に形成されていることを意味している。
【００２０】
また、これらの対称ピース20は、その両面にペンなどで書き込みが可能に形成されている。例えば、対称ピース20が紙や木等の書き込み可能な素材で形成されていることにより、対称ピース20の両面に書き込みが可能となっている。紙や木等の書き込み可能な素材で形成するかわりに、対称ピース20の両面を紙等の書き込み可能な素材でコーティングすることとしても良い。
このような嵌め絵1の作成方法としては、周知のジグソーパズルの作成方法を応用することが可能である。すなわち、紙や木等の軽量で変形の起こりにくい素材で形成された上シート12の表面に図柄を印刷する。もしくは、図柄を印刷した紙等を上シート12の表面に張り付けることとしても良い。そして、この上シート12の内側を所定の形状にカッターなどで切り抜く。その後、上シート12と底シート11とを貼り合わせると、上シート12の切り抜かれた部分が凹部30を形成する。更に、上シート12から切り抜かれて切り離された部分がピース片20となるので、嵌め絵1を作成することができる。なお、このようにすると、ピース片20の厚みと凹部30の深さとがほぼ同じとなるため、ピース片20を凹部30に嵌め込んだときに、嵌め絵1の表面にほぼ凹凸がない状態となる。
【００２１】
ところで、本実施の形態におけるピース片20、すなわち対称ピース20は、図３で示すように表裏で色が異なるように形成されている。つまり、表面（ａ）と裏面（ｂ）とでは、その色が異なるように形成されている。そして、図４に示すように、このピース片20をボード本体10に嵌め込むと、表面が露出するように嵌め込んだ表向きの対称ピース20aと、裏面が露出するように嵌め込んだ裏向きの対称ピース20bとでは、露出した面の色が異なることとなる。
本実施の形態における嵌め絵1はこのように構成されているため、嵌め絵1のピースの裏面を露出させて飾るという、今までにない印象を与える嵌め絵1を提供できる。また、裏面を露出させるピースは任意に選択できるため、使用者の好みに合わせた自由な嵌め込み方を選択可能であり、多様な飾り方を楽しめる嵌め絵1を提供できる。
【００２２】
この嵌め絵1を結婚披露宴会場に設置するウェルカムボードとして使用した場合、例えば、結婚披露宴において新郎新婦や来場者等がメッセージを記入することにより、メッセージ付きの嵌め絵1を作成できるとともに、その嵌め絵1を飾ることが可能である。つまり、各来場者に新郎新婦へのメッセージを対称ピース20に記入してもらい、ボード本体10に嵌め込んでいくようにすることができる。また、新郎から新婦への、新婦から新郎への、もしくは新郎新婦から来場者へのメッセージを記入するための対称ピース20を設けることもできる。
更に詳細な使用例としては、メッセージの記入された対称ピース20については表面が露出するようにボード本体10に嵌め込み、メッセージの記入されていない対称ピース20については裏面が露出するようにボード本体10に嵌め込む、というような態様が考えられる。すなわち、図４で示したような裏向きの対称ピース20bは、色が異なることにより、嵌め絵1を飾る装飾的な要素として機能する。このようにすれば、例えば結婚披露宴の来場者数と対称ピース20の数とが一致しない場合であっても、メッセージの記入されていない対称ピース20が単なる空白となるのではなく、装飾として機能するため、嵌め絵1の美観を損なうことがない。
【００２３】
また、男性の来場者にメッセージを記入してもらう場合には表面を使用し、女性の来場者にメッセージを記入してもらう場合には裏面を使用するような態様も考えられる。すなわち、男性の来場者にメッセージを記入してもらう場合は、対称ピース20の表面に記入してもらい、当該対称ピース20の表面が露出するようにボード本体10に嵌め込む。また、女性の来場者にメッセージを記入してもらう場合は、対称ピース20の裏面に記入してもらい、当該対称ピース20の裏面が露出するようにボード本体10に嵌め込む、としても良い。
そして、来場者に対称ピース20の表面と裏面とのいずれにもメッセージを記入してもらうこととしても良い。例えば、表面には新郎へのメッセージを、裏面には新婦へのメッセージを記入してもらい、状況に応じて表裏を入れ替えて対称ピース20を嵌め込みなおすこととしても良い。また、表面には問題を記入してもらい、裏面にはその問題の解答を記入してもらうこととしても良い。このようにすれば、例えば、ウェルカムボードを見る人が、単に見るだけではなく、裏返して嵌め込んでメッセージを読むなど、触れて楽しむことのできるようにすることができる。
【００２４】
なお、本実施の形態では対称ピース20の両面に書き込みが可能としたが、少なくとも一方面に書き込みが可能であれば良く、必ずしも両面に書き込みが可能でなくても良い。例えば、裏面を装飾的な要素として使用するような場合においては、裏面には書き込みができなくてもよい。
また、本実施の形態では対称ピース20の表裏の各面は色が異なることとしたが、これに限らず、表裏の各面は色が異ならないとしても良いし、模様等が異なることとしても良い。例えば、一方面には装飾的な模様や写真などを印刷等することとしても良い。
更に、本実施の形態ではピース片20のすべてが対称ピース20であるとしたが、必ずしもすべてのピース片20が対称ピース20である必要はない。すなわち、一部のピース片20については非対称形であっても良い。
【００２５】
（第一の実施の形態の変形例）
本発明の第一の実施の形態の変形例について、図５および図６を参照しながら説明する。
本変形例は、嵌め絵1の表面に一体性のある絵柄が形成されていることを特徴とするものである。すなわち、第一の実施の形態においては対称ピース20の表裏の色が異なることとしたが、これと異なり、本変形例においては、表面が嵌め絵1の絵柄の一部として機能し、裏面がメッセージ記入面として機能するものである。
なお、本変形例における嵌め絵1の基本的構成は上記した第一の実施の形態と同様であるので、同一となる説明を省略し、本変形例の特徴点のみ述べる。
【００２６】
まず、図５は、すべてのピース片20、すなわち対称ピース20が、表面を露出するようにボード本体10に嵌め込まれた状態を示す図である。この図が示すように、本変形例における嵌め絵1の表面には一体性のある絵柄が形成されている。言い換えると、ボード本体10の表面に描かれた絵柄と、対称ピース20の表面に描かれた絵柄とが連続するように形成されており、組み合わせた際に一体性のある絵柄が現れるようになっている。
そして、本変形例においては、対称ピース20の裏面にメッセージを記入するようになっている。そのため、図６に示すように、裏面にメッセージを記入した際には、その裏面が露出するように裏向きに対称ピース20bを嵌め込む。また、メッセージを記入しない場合には、表面が露出するように表向きに対称ピース20aを嵌め込む。
【００２７】
このように形成されているため、メッセージの記入されていない余った対称ピース20がある場合でも、その対称ピース20は一体性のある絵柄の一部として機能するため、嵌め絵1の美観を損なうことがない。
なお、本実施の形態においては、対称ピース20の表面に描かれた絵柄が、各対称ピース20で異なるようになっているが、これに限らず、各対称ピース20に同じ絵柄や模様等が表わされるようにしても良い。このようにすれば、メッセージを記入していない対称ピース20を一体性のある絵柄の一部として機能させる際、つまり、対称ピース20をボード本体10の凹部30に嵌め込む際、対称ピース20に合致する凹部30を探す手間を省略することができる。
【００２８】
（第二の実施の形態）
本発明の第二の実施の形態について、図７および図８を参照しながら説明する。
本実施の形態は、対称ピース20が外ピース21と内ピース22とから構成されていることを特徴とする。すなわち、本実施の形態に係る対称ピース20は外ピース21と内ピース22とからなり、この外ピース21には内ピース22を嵌め込むための切欠が設けられるとともに、この切欠に内ピース22を嵌め込んだ状態でボード本体10の凹部30に嵌め込み可能に形成されていることを特徴とする。
なお、本実施の形態における嵌め絵1の基本的構成は上記した第一の実施の形態と同様であるので、同一となる説明を省略し、本実施の形態の特徴点のみ述べる。
【００２９】
本実施の形態におけるボード本体10には、図７および図８に示すように、ダイヤ形、ハート形、スペード形の凹部30がそれぞれ１つずつ設けられている。また、ピース片20も、これらの凹部30に対応するように、ダイヤ形、ハート形、スペード形がそれぞれ１つずつ設けられている。そして、これらはいずれも線対称の図形となるように形成されているので、本実施の形態においては、すべてのピース片20が対称ピース20となるように形成されている。
また、前記スペード形のピース片20、すなわち対称ピース20は、図８に示すように、１つの外ピース21と、複数の内ピース22と、からなる。詳しくは、外ピース21には、内ピース22を嵌め込むための複数の切欠が設けられており、この複数の切欠のそれぞれに複数の内ピース22を嵌め込むことにより、対称ピース20が形成されるようになっている。つまり、外ピース21内部の切欠に内ピース22を嵌め込むことにより、対称ピース20が形成され、この対称ピース20はボード本体10の凹部30に嵌め込むことができるようになっている。そして、複数の内ピース22はすべて同形のスペード形をしており、平面形状が線対称の図形となるように形成されている。このことは、これら複数の内ピース22のすべてが請求項に係る内対称ピース22を形成していることを意味する。すなわち、これら複数の内ピース22、すなわち内対称ピース22は、外ピース21をボード本体10の凹部30に嵌め込んだときに、表面または裏面のいずれを露出するようにしても外ピース21の切欠に嵌め込み可能に形成されている。
【００３０】
同様に、前記ダイヤ形の対称ピース20も、図８に示すように、１つの外ピース21と、複数の内ピース22と、からなる。そして、複数の内ピース22はすべて線対称の図形である同形のダイヤ形をしており、内ピース22のすべてが請求項に係る内対称ピース22を形成している。ただし、このダイヤ形においては、前述したスペード形と異なり、中心にある内対称ピース22は、他の内対称ピース22とは異なる対称軸を有している。すなわち、中心にある内対称ピース22以外の内対称ピース22は、対称ピース20と同じ対称軸で線対称となっているが、中心にある内対称ピース22は、これとは異なる対称軸で線対称となっている。このように、対称ピース20と内対称ピース22とを比較したときに、もしくは、内対称ピース22同士を比較したときに、必ずしも対称軸が同一となるように形成されていなくても良い。
【００３１】
更に、前記ハート形の対称ピース20は、図８に示すように、それぞれ１つずつの外ピース21と内ピース22とからなる。この１つの内ピース22は、平面形状が線対称の図形となるように形成されている。すなわち、この内ピース22が請求項に係る内対称ピース22を形成している。この点は上記ダイヤ形およびスペード形の場合と同様であるが、しかし、このハート形においては、上記ダイヤ形およびスペード形の場合と異なり、内ピース22すなわち内対称ピース22の数は複数ではなく１つである。このように、内ピース22および内対称ピース22の数は複数に限らず、１つであっても良い。
以上のように、本実施の形態における嵌め絵1においては、線対称の形状のピースの中に更に線対称の形状のピースがあるような、いわば入れ子の構造となっている。このため、第一の実施の形態の作用効果に加え、更に多様な表現を行うことが可能となっている。すなわち、例えば、外ピース21については裏面を露出するように嵌め込み、内ピース22については表面を露出するように嵌め込む、もしくは、外ピース21については表面を露出するように嵌め込み、内ピース22については裏面を露出するように嵌め込む、など、外ピース21と内ピース22との表裏を組み合わせることが可能となるため、表示の多様性を担保することができる。
【００３２】
この第二の実施の形態に係る嵌め絵1を結婚披露宴会場に設置するウェルカムボードとして使用する場合、例えば、新婦新郎はハート形の対称ピース20の内対称ピース22にメッセージを書き込み、新郎側の来場者はスペード形の対称ピース20の内対称ピース22にメッセージを書き込み、新婦側の来場者はダイヤ形の対称ピース20の内対称ピース22にメッセージを書き込む、というように、意味のあるグループごとに使用する対称ピース20を異ならせるようにすることも可能である。
また、ボード本体10の凹部30に写真等を配置した後に、当該凹部30に外ピース21を嵌め込むことにより、外ピース21で写真等を保持するような態様も考えられる。すなわち、外ピース21に設けられた切欠が窓となって、ボード本体10の凹部30に配置された写真等が見えるようになっており、いわば嵌め絵1を額縁的に用いることもできる。この状態で内ピース22も嵌め込むと、ボード本体10の凹部30に配置された写真等が見えなくなるが、例えば、意図的に一部を見えなくすることにより美的な視覚効果を奏するようにしても良いし、すべての内ピース22を嵌め込むことにより、内ピース22を外さなければ写真等を見ることができないという今までにない印象を与える展示方法で写真を飾るようにしても良い。
【００３３】
なお、上記した第一及び第二の実施の形態では、結婚披露宴会場に設置するウェルカムボードを例として説明したが、本発明の実施の形態としてはこれに限るものではなく、複数の異なるメッセージを記入して飾ることができるパネル状のものであれば良い。例えば、寄せ書き用の色紙としても良く、この場合、対称ピース20に寄せ書きを記入してボード本体10に嵌め込むことで、装飾性の高い寄せ書き用の色紙とすることができる。
【図面の簡単な説明】
【００３４】
【図１】本発明の第一の実施の形態に係る嵌め絵の外観図である。
【図２】本発明の第一の実施の形態に係る嵌め絵の分解図である。
【図３】本発明の第一の実施の形態に係る対称ピースの表面および裏面を示す拡大図である。
【図４】本発明の第一の実施の形態に係る嵌め絵の使用例を示す図である。
【図５】本発明の第一の実施の形態の変形例に係る嵌め絵の外観図である。
【図６】本発明の第一の実施の形態の変形例に係る嵌め絵の使用例を示す図である。
【図７】本発明の第二の実施の形態に係る嵌め絵の外観図である。
【図８】本発明の第二の実施の形態に係る嵌め絵の分解図である。
【符号の説明】
【００３５】
1   嵌め絵
10  ボード本体
11  底シート
12  上シート
20  ピース片（対称ピース）
20a 対称ピース（表向き）
20b 対称ピース（裏向き）
21  外ピース
22  内ピース（内対称ピース）
30  凹部
【図１】
2010022682.tif 000003
【図２】
2010022682.tif 000004
【図３】
2010022682.tif 000005
【図４】
2010022682.tif 000006
【図５】
2010022682.tif 000007
【図６】
2010022682.tif 000008
【図７】
2010022682.tif 000009
【図８】
2010022682.tif 000010